(57)【要約】【課題】パネルの位置ずれや変形を防止してスラブ型枠の設置精度を確保することの可能なスラブ型枠の吊り上げ装置を提供することを課題とする。【解決手段】複数のパネル１１の下面に、これらのパネルを横切るように配置される複数の連結ロッド１２と、これらの連結ロッドを包み込むように配置され、これらの連結ロッドを複数のパネルの下面に圧接固定する固定具１３を備え、この固定具が、連結ロッドの下面および両側面に沿って配置される保持部１３ａと、この保持部の一端部に連設され、パネルの下面に当接させられる連結部１３ｂと、この連結部に前記パネルへ向かうように立設され、パネルに形成された貫通孔に挿通されてパネル上面に突出される固定ボルト１３ｃと、この固定ボルトにパネルの上面側から螺合させられることにより、連結部と共働してパネルを挟持するとともに保持部により連結ロッドをパネルへ圧接させるロックナットと１３ｄを備えていることを特徴とする。【選択図】図４
0003229113.tif 000002
【実用新案登録請求の範囲】
【請求項１】
複数のパネルを平面状に連結して形成されるスラブ型枠の吊り上げ装置であって、前記複数のパネルの下面に、これらのパネルを横切るように配置される複数の連結ロッドと、これらの連結ロッドを包み込むように配置され、これらの連結ロッドを前記複数のパネルの下面に圧接固定する固定具を備え、この固定具が、前記連結ロッドの下面および両側面に沿って配置される保持部と、この保持部の一端部に連設され、前記パネルの下面に当接させられる連結部と、この連結部に前記パネルへ向かうように立設され、前記パネルに形成された貫通孔に挿通されて前記パネル上面に突出される固定ボルトと、この固定ボルトに前記パネルの上面側から螺合させられることにより、前記連結部と共働して前記パネルを挟持するとともに前記保持部により前記連結ロッドを前記パネルへ圧接させるロックナットとを備えていることを特徴とするスラブ型枠の吊り上げ装置。
【請求項２】
前記ロックナットに吊り上げ用のワイヤが掛け止めされるフック部が形成されていることを特徴とする請求項１に記載のスラブ型枠の吊り上げ装置。
【請求項３】
前記複数のパネル上面で前記ロックナットを挟み込む位置に一対のサポートロッドが配置され、前記ロックナットに、前記サポートロッドを前記パネルの上面に圧接させるくさびが着脱可能に取り付けられていることを特徴とする請求項１に記載のスラブ型枠の吊り上げ装置。
【考案の詳細な説明】
【技術分野】
【０００１】
本考案は、コンクリート製構造物のスラブを打設する際に用いられるスラブ型枠を吊り上げて、梁型枠の内側にセットするためのスラブ型枠の吊り上げ装置に関する。
【背景技術】
【０００２】
一般に、図１に示すように、スラブ型枠１は、複数のパネル２を、これらのパネル２を横切るように配置される複数の連結ロッド３によって連結された構成となっている。
【０００３】
そして、このスラブ型枠１は、図１および図２に示すようにクレーン等によって吊り上げられて、図３に示すように、スラブを打設する位置にセットされた後に支保工４によって支持固定されてスラブ打設に用いられる。
【０００４】
ところで、前述したスラブ型枠１を吊り上げるには、以下のような構成が用いられている。
【０００５】
パネル２の、連結ロッド３を挟む位置に貫通孔を形成しておき、ワイヤ５を連結ロッド３を取り囲むように配置するとともに、これらの端部を貫通孔に挿通してパネル２の上部へ引き出し、吊り上げワイヤ６に連結しておく。
【０００６】
このような構成を、スラブ型枠１の４角近くにそれぞれ設けるとともに、それぞれの吊り上げワイヤ６を、クレーン等から垂下された巻き上げワイヤ７に連結した構成である。
【先行技術文献】
【特許文献】
【０００７】
【特許文献１】なし
【考案の概要】
【考案が解決しようとする課題】
【０００８】
前述した従来の技術では、スラブ型枠１の重量が、図示例では、４本のワイヤ５によって支持されるが、このワイヤ５と連結ロッド３との接触部分が線接触となり、ワイヤ５と連結ロッド３とにずれ生じやすい。
また、ワイヤ５間において連結ロッド３が下方に撓みやすい。
【０００９】
このような不具合は、スラブ型枠１を吊り上げた際にパネル２が安定せず、又、形状が不安定で、所定位置にセットする際の精度を確保することができないことが想定される。
【００１０】
本考案は、前述した従来の技術において残されている問題点に鑑みてなされたもので、パネルの位置ずれや変形を防止してスラブ型枠の設置精度を確保することの可能なスラブ型枠の吊り上げ装置を提供することを課題とする。
【課題を解決するための手段】
【００１１】
本考案のスラブ型枠の吊り上げ装置は、前述した課題を解決するために、複数のパネルを平面状に連結して形成されるスラブ型枠の吊り上げ装置であって、前記複数のパネルの下面に、これらのパネルを横切るように配置される複数の連結ロッドと、これらの連結ロッドを包み込むように配置され、これらの連結ロッドを前記複数のパネルの下面に圧接固定する固定具を備え、この固定具が、前記連結ロッドの下面および両側面に沿って配置される保持部と、この保持部の一端部に連設され、前記パネルの下面に当接させられる連結部と、この連結部に前記パネルへ向かうように立設され、前記パネルに形成された貫通孔に挿通されて前記パネル上面に突出される固定ボルトと、この固定ボルトに前記パネルの上面側から螺合させられることにより、前記連結部と共働して前記パネルを挟持するとともに前記保持部により前記連結ロッドを前記パネルへ圧接させるロックナットとを備えていることを特徴とする。
【００１２】
このように構成されたスラブ型枠の吊り上げ装置は、複数の連結ロッド上に複数のパネルを配置した後に、連結ロッドに固定具の保持部を被せるとともに、この固定具の保持部に取り付けられた固定ボルトを、パネルの連結ロッドの近傍に形成されている貫通孔に挿通させつつ、固定具の保持部をパネルに圧接させる。
【００１３】
パネルを貫通させた固定ボルトにロックナットを螺着する。
これによって、固定具によって、連結ロッドをパネルに圧接させつつ固定することができる。
【００１４】
ここで、固定具を金属板で形成しておくことにより、連結ロッドとの接触部を面接触として、連結ロッドと固定具との位置ずれを防止することができ、安定した固定を実現することができる。
【００１５】
また、連結ロッドを面で固定することにより、その撓みを防止することができ、この点からも連結ロッドとパネルとの位置ずれを防止して安定した固定状態を維持することができる。
【００１６】
そして、固定ボルトのそれぞれに吊り上げワイヤを取り付けて、これらの吊り上げワイヤをクレーン等に装備されている巻き上げワイヤに連結することにより、スラブ型枠の吊り上げ、搬送、および、設置を行なうことができる。
【００１７】
このようなスラブ型枠の吊り上げ、搬送、および、設置を行なう際に、固定具によって、パネルと連結ロッドとの固定が強固に行なわれていることから、スラブ型枠の型崩れがなく、吊り上げ、搬送、および、設置の作業を安定して行なうことができる。
【００１８】
前記ロックナットに吊り上げ用のワイヤが掛け止めされるフック部を形成しておくことが好ましい。
【００１９】
このような構成とすることにより、スラブ型枠への吊り上げワイヤの着脱を容易にすることができる。
【００２０】
前記複数のパネル上面でロックナットを挟み込む位置に一対のサポートロッドを配置し、ロックナットに、サポートロッドをパネルの上面に圧接させるくさびを着脱可能に取り付けた構成とすることもできる。
【００２１】
このような構成とすることにより、複数のパネルを連結ロッドとサポートロッドによって、上下から挟み込むように固定することにより、その固定をより強固なものとすることができる。
【考案の効果】
【００２２】
本考案によれば、スラブ型枠を構成する複数のパネルを強固に連結して、その型崩れを防止し、スラブ型枠の吊り上げ、搬送、設置を安定して行なうことができる。
【図面の簡単な説明】
【００２３】
【図１】従来の一例を示す斜視図である。
【図２】従来の一例を示す斜視図である。
【図３】従来の一例を示す斜視図である。
【図４】本考案の一実施形態を示す正面図である。
【図５】本考案の一実施形態を示す側面図である。
【図６】本考案の他の実施形態を示す側面図である。
【考案を実施するための形態】
【００２４】
以下、本考案の一実施形態を図４および図５を参照して説明する。
これらの図において、符号１０は、本実施形態に用いられるスラブ型枠を示す。
【００２５】
スラブ型枠１０は、複数のパネル１１を平面状に連結して形成される。
本実施形態の吊り上げ装置は、複数のパネル１１の下面に、これらのパネル１１を横切るように配置される複数の連結ロッド１２と、これらの連結ロッド１２を包み込むように配置され、これらの連結ロッドを複数のパネル１１の下面に圧接固定する固定具１３を備え、この固定具１３が、連結ロッド１２の下面および両側面に沿って配置される保持部１３ａと、この保持部１３ａの一端部に連設され、パネル１１の下面に当接させられる連結部１３ｂと、この１３ｂにパネル１１へ向かうように立設され、パネル１１に形成された貫通孔に挿通されてパネル１１上面に突出される固定ボルト１３ｃと、この固定ボルト１３ｃにパネルの上面側から螺合させられることにより、連結部１３ｂと共働して前記パネル１１を挟持するとともに保持部１３ａにより連結ロッド１２をパネル１１へ圧接させるロックナット１３ｄとを備えている。
【００２６】
本実施形態においては連結ロッド１２が２本設けられており、それぞれの両端部の４カ所に固定具１３が設けられている。
【００２７】
そして、本実施形態においては、連結ロッド１２、固定具１３、保持部１３ａ、
連結部１３ｂ、固定ボルト１３ｃ、ロックナット１３ｄによって吊り上げ装置Ｌが構成されている。
また、各ロックナット１３ｄには、吊り上げワイヤ１４および巻き上げワイヤ１５が接続されるようになっている。
【００２８】
本実施形態においては、複数の連結ロッド１２上に複数のパネル１１を配置した後に、連結ロッド１２に固定具１３の保持部１３ａを被せるとともに、この固定具１３の保持部１３ａに取り付けられた固定ボルト１３ｃを、パネル１１の連結ロッド１２の近傍に形成されている貫通孔に挿通させつつ、固定具１３の保持部１３ａをパネル１１に圧接させる。
【００２９】
ついで、パネル１１を貫通させた固定ボルト１３ｃにロックナット１３ｄを螺着する。
これによって、連結ロッド１２をパネル１１に圧接させつつ固定することができる。
【００３０】
ここで、固定具１３を金属板で形成しておくことにより、連結ロッド１２との接触部を面接触として、連結ロッド１２と固定具１３との位置ずれを防止することができ、安定した固定を実現することができる。
【００３１】
また、連結ロッド１２を面で固定することにより、その撓みを防止することができ、この点からも連結ロッド１２とパネル１１との位置ずれを防止して安定した固定状態を維持することができる。
【００３２】
そして、固定ボルト１３ｃのそれぞれに吊り上げワイヤ１４を取り付けるとともに、これらの吊り上げワイヤ１４をクレーン等に装備されている巻き上げワイヤ１５に連結することにより、スラブ型枠１０の吊り上げ、搬送、および、設置を行なうことができる。
【００３３】
このようなスラブ型枠１０の吊り上げ、搬送、および、設置を行なう際に、固定具１３によって、パネル１１と連結ロッド１２との固定が強固に行なわれていることから、スラブ型枠１０の型崩れがなく、吊り上げ、搬送、および、設置の作業を安定して行なうことができる。
【００３４】
なお、前記実施形態において示した各構成部材の諸形状寸歩等は一例であって設計要求等に基づき種々変更可能である。
【００３５】
たとえば、図６に示すように、複数のパネル１１上面でロックナット１３ｄを挟んだ両側に一対のサポートロッド１６を配置し、ロックナット１３ｄに、サポートロッド１６をパネルの上面に圧接させるくさび１７を着脱可能に取り付けた構成とすることもできる。
【００３６】
このような構成とすることにより、複数のパネル１１を連結ロッド１２とサポートロッド１６によって、上下から挟み込むように固定することにより、その固定をより強固なものとすることができる。
【００３７】
一方、スラブ型枠１は、前述したように全体としての剛性が高められ、その変形が大幅に抑えられていることにより、スラブ型枠１を梁型枠間に橋渡してセットした状態において、このスラブ型枠１を支保工４によって支持する必要はない。
【００３８】
前述した支保工４による支持は、スラブ型枠１上にコンクリートを打設してスラブを形成する際に、コンクリートの打設時の振動や重量を支持するために、このコンクリートの打設に先立って行なえば良い。
【００３９】
したがって、支保工４を設置する時期の設定の自由度が大幅に拡大される。
この結果、支保工４の設置に要する人員配置の自由度を高めて人員を効率よく配置することができ、人件費を軽減することができる。
【符号の説明】
【００４０】
１  スラブ型枠
２  パネル
３  連結ロッド
４  支保工
５  ワイヤ
６  吊り上げワイヤ
７  巻き上げワイヤ
１０  スラブ型枠
１１  パネル
１２  連結ロッド
１３  固定具
１３ａ  保持部
１３ｂ  連結部
１３ｃ  固定ボルト
１３ｄ  ロックナット
１４  吊り上げワイヤ
１５  巻き上げワイヤ
１６  サポートロッド
１７  くさび
Ｌ  吊り上げ装置
【図１】
0003229113.tif 000003
【図２】
0003229113.tif 000004
【図３】
0003229113.tif 000005
【図４】
0003229113.tif 000006
【図５】
0003229113.tif 000007
【図６】
0003229113.tif 000008